(57)【特許請求の範囲】
【請求項１】
注射器ホルダ用の注射針シュラウド装置であって、
外筒（１）と該外筒（１）の前方端部の中へ係留的にはめ込まれた管状の注射針シュラウド（４）とを具備しており、一部が該外筒にあるお互いに対面している合口（９，１２，１４，２１）が、外筒の軸周囲における回転的な該合口の相対位置により異なる所定の量で、注射針シュラウド（４）の軸方向後方への伸縮移動を制限している、注射針シュラウド装置において、
該注射針シュラウドが自身の合口（２１）を外筒の選択した合口（９，１２，１４）に整列させるべく回転可能であり、従って、該注射シュラウドが該所定の量から選択した量に基づいて長手方向に移動可能であることを特徴とする注射針シュラウド装置。
【請求項２】
該外筒（１）、又は外筒に接続された延伸部材（３）及び該注射針シュラウド（４）が、注射針シュラウド（４）を特定の回転位置に調節するためにお互いに相互係合可能な移動止め（７，１８）を有していて、選択された該回転位置に関連して該合口（９，１４，１２；２１）が係合するように、該移動止め各々の相互係合は外筒（１）と注射針シュラウド（４）との相対的な軸方向移動を可能にしていることを特徴とする、請求項１に記載の注射針シュラウド装置。
【請求項３】
該移動止めが、該外筒（１）若しくは外筒に接続された延伸部材（３）か又は該注射針シュラウド（４）かのどちらか一方における軸方向に平行な溝（７）と、該溝（７）に係合かつはずすことのできる、注射針シュラウド（４）か又は外筒（１）かの突起（１８）とであることを特徴とする、請求項２に記載の注射針シュラウド装置。
【請求項４】
該突起（１８）が該注射針シュラウド（４）と一体成形された薄い要素（１９）上にあって、該溝（７）は外筒（１）内にあることを特徴とする、請求項３に記載の注射針シュラウド装置。
【請求項５】
該お互いに対面している合口（９，１２，１４，２１）が、異なる円周方向位置と異なる軸方向位置とにおいて、前方で対面する一連の内部合口（９，１４，１２）を該外筒（１）に有していて、そして後方で対面する合口（２１）を該注射シュラウド（４）に有していることを特徴とする、請求項１〜４のいずれか一項に記載の注射針シュラウド装置。
【請求項６】
該外筒（１）が、細くなった前方端部（２）を備えた主ボデーと、該前方端部（２）を覆って保持的にはめ込まれかつ注射針シュラウド（４）を係留するようになっている延伸部材（３）とを有していることを特徴とする、請求項１〜５のいずれか一項に記載の注射針シュラウド装置。
【請求項７】
該一連の前方で対面している合口（９，１４，１２）が該細くなった先端部（２２）により提供されていることを特徴とする、請求項５又は６に記載の注射針シュラウド装置。
【請求項８】
該延伸部材（３）が、延伸部材における相補的な溝（７）に係合している、該細くなった前方端部（２）における長手方向リブ（６）により円周方向に位置決めされていることを特徴とする、請求項６又は７に記載の注射針シュラウド装置。
【請求項９】
該注射針シュラウド（４）は、該外筒（１）内の注射器の注射針を注射針シュラウド（４）内に隠す限定位置へ付勢する前方ばね（５）を有していることを特徴とする、請求項１〜８のいずれか一項に記載の注射針シュラウド装置。
【発明の詳細な説明】
【０００１】
本発明は注射針保護装置に関する。
【０００２】
医療用注射器はペン状の発射装置あるいは外筒形状のホルダに取りつけられる。より精巧な装置は作動されると薬剤を自動的に投与するトリガを有している。外筒状のホルダは注射器の操作を容易なものにしている。
【０００３】
しかしながら、どんな注射器が取りつけられていようと、少なくとも薬剤投与の間、注射針は前方端部から突出されなければならない。他の間は、注射器がホルダ内に引き込まれているか、あるいはシュラウドが注射針を覆っていることが望ましい。
【０００４】
注射が行なわれる各々の場合において、注射針を同一長さに突出することがいつも所望されるところではない。注射は、ある時は筋肉に深く、ある時は浅く行なわれる。
【０００５】
本発明の目的は注射針シュラウド装置を提供することであって、その装置は、使用前後の注射針を保護するものでありながら、所定の注射深さを調節することのできるものである。
【０００６】
本発明において、注射器ホルダ用の注射針シュラウド装置が提供されていて、注射針シュラウド装置はバレルと該バレルの前方端部の中へ係留的にはめ込まれた管状の注射針シュラウドとを具備しており、外筒と注射針シュラウドとにおけるお互いに対面している合口が、外筒に対する注射針シュラウドの回転位置により異なる量で、注射針シュラウドの後方への伸縮移動を制限している。
【０００７】
好ましくは、外筒及び注射針シュラウドが、注射針シュラウドを特定の回転位置に調節するためにお互いに相互係合可能な移動止めを有していて、選択された回転位置に関連して合口が係合するように、移動止め各々の相互係合は外筒と注射針シュラウドとの相対的な軸方向移動を可能にしている。都合のよいことに、移動止めが、外筒か又は注射針シュラウドかのどちらか一方における軸方向に平行な溝と、溝に係合及びはずすことのできる、注射針シュラウドか又はバレルかの突起とである。利点のあることに、突起が注射針シュラウドと一体成形された薄い要素上にあって、溝は外筒内にある。
【０００８】
好ましくは、外筒が、異なる円周方向位置と異なる軸方向位置とにおいて、一連の前方で対面している内部合口を有していて、注射針シュラウドは後方で対面する合口を有している。
【０００９】
外筒が、細くなった先端部を備えた主ボデーと、先端部を覆って保持的にはめ込まれかつ注射針シュラウドを係留するようになっている延伸部材とを有していてもよい。一連の前方で対面している合口が細くなった先端部により提供されていてもよい。
【００１０】
延伸部材が、延伸部材における相補的な溝に係合している、細くなった先端部における長手方向リブにより円周方向に位置決めされていてもよくて、相補的な溝が、注射針シュラウドにおける突起のための移動止めを提供するために、バレルの該主ボデーを超えて延伸していてもよい。注射針シュラウドは、外筒内の注射器の注射針を注射針シュラウド内に隠す限定位置へ付勢する前方ばねを有している。従って、注射前後における注射針の自動的な保護が行なわれ、注射針シュラウドは、注射器が使用出来るような長さだけ引き込まれる。
【００１１】
本発明をさらに理解するために、一つの実施例を添付図面を用いて例として説明する。
【００１２】
注射器ホルダは、細くなった前方端部２と前方端部２を覆って係合している延伸部材３とを有する主ボデー１を備えた円筒を有している。調節可能な管状の注射針シュラウド４が延伸部材３によりバレルの前方端部に係合されていて、ばね５がシュラウド４を前方へ付勢している。円筒の中における注射器の位置決め方法は本発明の対象ではなくて；注射器が外筒から前方へ突出している注射針と同軸に収納されていると説明するだけで十分である。
【００１３】
前方端部２は延伸部材３における対応する内部溝７に係合する外部長手リブ６を有している。段付き前方端部２とシュラウド４の後方端部構造との幾何学的形状に関する、長手リブ６の数と円周方向の間隔とは以下に説明する理由によるものであり、かつ溝７は相補的なリブ６より長い。前方端部２も環状リブ８を有していて、その環状リブ８は、リブ６より低い突起で、前方端部を取り囲んでおり、最前方の環状リブが前方端部２における直径方向に対向した二つの凹部９により中断されている。延伸部材３は相補的な環状溝１０を有していて、プラスチック材料で作られている外筒の主ボデー１，２と延伸部材３とは、延伸部材３が、前方端部２に嵌挿することを可能にしていて、延伸部材は、前方端部２が出発している肩１１に接触するようになっていて、従って外筒への滑らかな接続を提供している。
【００１４】
各凹部９の一方の円周方向側部において、前方端部２は、先端が斜面となっているフィンガ１２へ延伸しており、これらの一方のフィンガに沿ってリブ６の一つが通っている。各凹部９の他方の円周方向側部において、その側部の入口は斜面１３で広がっていて、さらに対向するフィンガ１２へ回わってゆく弧すなわち中間区画１４となっている。他方のリブ６はこれらの区画の一方に沿った点において終点となっている。
【００１５】
シュラウド４が延伸部材３から突出していて、さらに握りやすくするために延伸部材の前方端部１５において軸方向に溝がついている。
シュラウドの後方端部はボデー１の前方端部２と協働するべく二つの円弧区画１６及び１７における複合フランジ（complex flange）を有している。区画１６は、シュラウド４から突き出していて、区画１６の円筒包絡面が延伸部材３の内表面と前方端部２の外表面とにほぼ一致するようになっている。しかしながら、区画１６は、区画１６の弧長の約半分の長さを覆っている、シュラウドの主ボデーから離間しているうすいブリッジ１９の中央に、外向きに突出しているニブ１８を有している。このブリッジ１９はばねを形成するべく十分に収縮されていて（シュラウドがプラスチック材料で一体成形されている）、従ってニブ１８が延伸部材３の溝７への出入りのスナップ作用をすることができる。区画１６の残りの部分は、第一にブリッジ１９の一方の端部から、軸方向後方に厚さが二倍になっていて段２０を提供しており、続いてさらに後方へ延伸し突起２１となっている。
【００１６】
他方の同様の区画１７は、ブリッジ１９及びニブ１８がなくて、剛な部分であるけれど、区画１６と完全に対となっている。
【００１７】
シュラウド４は通常ばねにより前方に付勢されていて、フランジ区画１６，１７が、延伸部材３の入口において時計回り式フランジ２２（inturned flange ）に接触するようになっている。シュラウド４は、溝７の一つに係合するニブ１８により円周方向に位置決めされていて、その溝７の前方端は前方端部２を越えて露出している。
【００１８】
もしその溝７が斜面１３に最も近いリブ６に係合したものである場合、突起２１はフィンガ１２の端部に整列する。このことがシュラウドの後方への移動を防止あるいは厳しく制限していて、外筒内に収納された注射針を完全に保護している。
【００１９】
シュラウド４を左に回転することにより（図１に見られるように）、ニブ１８は、一方の溝７からはずれて、突起２１を凹部９に整列させる次の溝へ係合する。シュラウドは続いて突起２１が、この凹部に着座するまで、ばね５に抗して後方へ押され、一方フィンガ１２はフランジ区画１６と１７との間のギャップを通過し、シュラウド４と延伸部３の間に納まる。これがシュラウドを最大限引き込めた位置であって、注射針を最大限に露出させたものである。
【００２０】
注射針の露出を少なくするために、シュラウドは、ニブ１８が第三の溝７に係合するまで解放され再度左に回転される。突起２１は続いて斜面１３に隣接した中間区画１４の端部に対向する。このさらなる回転はフィンガ１２により妨げられるものではない：フランジ区画１６と１７との端部の間のギャップが十分に大きい。
【００２１】
注射針の露出をさらに少なくするために、シュラウド４は、ニブ１８がリブ付きフィンガ１２に協働するまで解放され回転される。さらにフィンガ１２の端部は、ブリッジ１９と区画１７の剛であれもう一方のブリッジであれ対応する部分とに対向する。
【００２２】
使用に先立って、シュラウド４は、所望する注射針の露出となる合口に整列するべく回転され、さらに注射をしようとする際に、シュラウド４の前方端部が注射しようとする点を囲んでいる皮膚に接する。ばね／外筒アセンブリが、注射針を刺すために前方に押されるとき、シュラウドは、静止していて、かつ患者の筋肉内の所定位置において注射針と共に外筒を停止する。引き抜く際、ばね５が、シュラウド４を外筒に対して相対的に前方へ押していて、従って注射針を保護している。
【００２３】
ユーザが正しい調節をするために、マークが延伸部材３とシュラウド４の露出部にあってもよい。
【００２４】
ある場合には、対向方向へのばね付勢がシュラウドを後方に付勢することが好適である。通常図１に示めす位置に設定され、そこでは注射針は露出されておらず、使用者は注射前にシュラウドを所定位置へ回転し注射する。ばね（フランジ２２と複合フランジ１６，１７との間に作用している）は続いてシュラウドを引きもどし、注射針が所定長さだけ露出されるようになっている。
【００２５】
合口と、リブ及び溝との配置を反転することも可能である。一揃の合口は外筒というよりはシュラウドの軸方向に異なる位置にあって、フィンガ１２の同等物が外筒にある。リブ６の代りに溝が、溝７の代りにリブがシュラウド４の中に押えつけられて入っていて、これらのリブはシュラウド４に係合する。
【図面の簡単な説明】
【図１】  図１は注射針シュラウドを備えた注射器ホルダの分解斜視図である。
【図２】  図２は、シュラウドの端面図である。
【図３】  図３は、ホルダの外筒の断面図である。
【図４】  図４は、ホルダの前方部の詳細縦断面図である。
【図１】
0004819293.tif 000002
【図２】
0004819293.tif 000003
【図３】
0004819293.tif 000004
【図４】
0004819293.tif 000005